(57)【要約】【目的】本発明の目的は、印刷版に特別な画像を必要とせず、簡易な機器で湿し水の調整を可能とする装置と方法を提供することである。【構成】オフセット印刷機に取り付けられた印刷版の操作側及び駆動側端部の非画像部を測定する装置と、測定された結果を正常な印刷時の測定結果を比較して、一定のしきい値範囲内に収まるかを判定するコンピュータと、しきい値範囲外と判断された場合に湿し水供給量を変更する自動または手動の方法。【選択図】図３
2015174439.tif 000002
【特許請求の範囲】
【請求項１】
オフセット印刷機に取り付けられた印刷版の操作側及び駆動側の版端くわえ側非画像部を測定する測定器と、測定された結果を正常な印刷時の測定結果と比較して、一定のしきい値範囲内に収まるかを判定するコンピュータと、しきい値範囲外と判断された場合に湿し水供給量を変更する方法。
【請求項２】
オフセット印刷機に取り付けられた印刷版の操作側及び駆動側の版端くわえ側非画像部を測定する測定器と、測定された結果を正常な印刷時の測定結果と比較して、一定のしきい値範囲内に収まるかを判定するコンピュータと、しきい値範囲外と判断された場合に湿し水供給量を変更する装置。
【請求項３】
測定器が反射濃度計である、請求項１記載の湿し水供給量を変更する方法。
【請求項４】
測定器が色差計である、請求項１記載の湿し水供給量を変更する方法。
【請求項５】
測定器がＣＣＤカメラである、請求項１記載の湿し水供給量を変更する方法。
【請求項６】
測定器が反射濃度計である、請求項２記載の湿し水供給量を変更する装置。
【請求項７】
測定器が色差計である、請求項２記載の湿し水供給量を変更する装置。
【請求項８】
測定器がＣＣＤカメラである、請求項２記載の湿し水供給量を変更する装置。
【発明の詳細な説明】
【技術分野】
【０００１】
本発明はオフセット印刷機において湿し水供給量を調節する方法と装置に関する。
【背景技術】
【０００２】
オフセット印刷機で作成される印刷物の品質を高く維持するためには、湿し水の最適な供給量を維持する必要がある。一般的に、湿し水の供給量が適正域下限に近い状態で維持されると、印刷物の再現色域が大きくなり、色調は安定し、紙が余分な水を吸収しないため見当が良くなり、結果的にコントラストが高く、鮮鋭度の高い印刷物が得られる。
【０００３】
湿し水供給量が少なすぎる場合、刷版の非画像部分に地汚れが発生し、印刷物の非画像部分にインキが転写して印刷物を汚損し損紙となる。湿し水の供給が多すぎる場合には印刷物の鮮鋭度が低下する。極端な場合には印刷範囲に水マークが生じる。この水マークは前述の地汚れと同様に印刷物を汚損し損紙となる。このため印刷オペレータによる常時監視と熟練した調節が必要となる。
【０００４】
湿し水を自動調整する方法としては、印刷版上またはブランケット上の非画像部あるいは画像等の特定のベタ画像や網点画像部分を測定し、あらかじめ測定していた地汚れ発生前の数値と比較し、差異がある場合に湿し水の供給量を調整する方法がある(例えば、特許文献１)。
【０００５】
この方法では、測定方法としてレーザ、熱源、マイクロ波発生装置等を使用することとしているが、測定波照射装置と受信測定装置が必要となり、装置の構成が大掛かりなものとなる。またレーザや熱源を使用した装置では、オペレータに測定波が照射された場合に危険を生じる場合がある。また画像部の測定ではベタ画像または網点画像が必要となるが、版交換によりそれら測定部は前回印刷物とは異なる部分に移動するため、測定機器は版交換ごとに調整が必要となり、操作が煩雑となる。また測定するベタ画像または網点画像が印刷版面に含まれない場合もある。その場合は印刷版上に測定のための画像を、印刷物に影響しない部分に添付する必要があるが、印刷画像の状況により不可能または困難である場合がある。
【先行技術文献】
【特許文献】
【０００６】
【特許文献１】特開平６−２３９３９号公報
【発明の概要】
【発明が解決しようとする課題】
【０００７】
本発明の目的は、印刷版に特別な画像を必要とせず、簡易な機器で湿し水供給量の調整を可能とする装置と方法を提供することである。
【課題を解決するための手段】
【０００８】
本発明は、オフセット印刷機に取り付けられた印刷版の操作側及び駆動側の版端くわえ側非画像部を測定する測定器と、測定された結果を正常な印刷時の測定結果を比較して、一定のしきい値範囲内に収まるかを判定するコンピュータと、しきい値範囲外と判断された場合に湿し水供給量を変更する方法と装置を提供することで達成される。
【発明の効果】
【０００９】
本発明により、印刷版に特別な画像を必要とせず、簡易な方法で湿し水の調整を可能とする方法と装置が提供できる。これにより印刷運転時の湿し水調整作業が不要または簡易化され、印刷オペレータの熟練技術が不要となり、大幅な省力化を図ることができる。また地汚れや湿し水供給過剰による印刷損紙の発生を防止することで、生産コストの低減を図ることができる。
【図面の簡単な説明】
【００１０】
【図１】本発明による装置を有する印刷機構の概略図。
【図２】本発明における印刷版の測定部分の概略図。
【図３】湿し水を調整する本発明の装置を制御するためのフローチャートを示した図。
【発明を実施するための形態】
【００１１】
図１に、本発明による装置の概略図を示す。装置は印刷版１の測定器２、測定部分を決める同期装置３、地汚れを判定するコンピュータ４、湿し水制御装置５より構成される。
【００１２】
図２に、本発明で測定する印刷版の部分を示す。測定する部分は印刷版９の印刷版の操作側の版端くわえ側非画像部１０及び駆動側の版端くわえ側非画像部１１である。この部分は印刷中の水インキバランスが崩れた場合、印刷版で最も早く地汚れが発生する部分である。したがって、印刷版において当該部分を測定し、地汚れの発生を判定し、湿し水供給量を変更することで、損紙の発生を防止することができる。また、この部分を測定することにより、印刷版の画像によらず常に一定の部分を測定できる。このため測定器は同じ箇所に固定することができるので、版交換ごとの測定器取り付け位置調整が不要となる。
【００１３】
図３に、本発明による湿し水を調整する本発明の装置を制御するためのフローチャートを示す。スタート１２に、まず正常な状態の印刷版の操作側及び駆動側の版端くわえ側非画像部を測定し、地汚れの有無を判定するコンピュータ４に記録する。印刷運転時には一定時間ごとに版端くわえ側非画像部１０，１１の測定を行い、測定ごとに正常時の測定結果と比較する１４。
【００１４】
測定値が正常測定値との比較の結果１５、２箇所の測定部のうち両方、またはどちらか片方の測定結果がしきい値を超えた場合には、コンピュータが地汚れ発生と判断し、湿し水給水量を増加する１６。
【００１５】
測定器２に用いる装置としては、反射濃度計、色差計、ＣＣＤカメラが好ましい。いずれも特別な照射エネルギー等を持たないため、印刷オペレータに対し安全に使用できる。この測定結果を図１に示すとおり、地汚れを判定するコンピュータ４に送信し、正常時の測定結果と比較する。
【００１６】
測定する部分が操作側及び駆動側の版端くわえ側非画像部のため、同期装置３を用いて常にくわえ部を測定する。同期装置としては、平判用紙を使用する枚葉印刷機では印刷枚数カウンタの信号等を、ロール紙を使用する輪転機ではカットオフコントローラの信号等を利用して同期させる。
【００１７】
地汚れ判断のしきい値は、測定手段によって異なる。反射濃度計の場合は、各胴の正常時の測定結果をそれぞれ墨インキ胴はＤＢ、シアンインキ胴はＤＣ、マゼンタインキ胴はＤＭ、イエローインキ胴はＤＹとして記録し、印刷時の測定結果と比較し、一定のしきい値を超えた場合に地汚れ発生と判断する。その場合のしきい値は各色での測定結果比１．２倍とする。色差計の場合、墨インキ胴ではＬ＊、シアンインキ胴ではＬ＊とｂ＊、マゼンタインキ胴ではＬ＊とａ＊、イエローインキ胴ではＬ＊とｂ＊を確認する。墨インキ胴ではＬ＊が−２、シアンインキ胴ではＬ＊が−２かつｂ＊が−２、マゼンタインキ胴ではＬ＊が−２かつａ＊が＋２、イエローインキ胴ではＬ＊が−２かつｂ＊が＋２、測定結果が変化した場合をしきい値とし、測定結果がそれ以上変化した場合に地汚れ発生と判断する。ＣＣＤカメラ使用の場合は、地汚れ部のインキの長さが２．５ｃｍ以上となった場合に地汚れ発生と判断する。
【００１８】
地汚れの発生時は湿し水供給量を増加することで解消されるが、過剰に増加させると水とインキのバランスが崩れ、印刷物の鮮鋭度が低下する。極端な場合には印刷範囲に水マークが生じる。このため地汚れ発生時の湿し水の増加１６は段階的に行われることが望ましい。地汚れと判断し、湿し水供給量を一定量増加させた後、一定タイミング後に測定１３を行い、地汚れが解消されたかを判断する１４。地汚れが解消されたと判断した場合はそのままの湿し水供給量を保持する。地汚れが解消されないと判断した場合は再び湿し水供給量を一定量増加させた後１６、一定タイミング後に測定を行う１３。これを繰り返し、地汚れを解消する。
【００１９】
湿し水供給量の調整は、印刷機の種類や印刷画像により適正な量が異なる。このため１回あたりの湿し水供給量の増加量は自由に設定できるようにする。例えば水元ローラ回転数により湿し水供給量を調整する湿し水装置においては、１回あたりの湿し水供給量の増加量を標準的には１％とし、必要に応じ増減させる。
【００２０】
本発明による湿し水供給量の調整は、コンピュータによる自動的な制御のほかに、手動による調整も行うことができる。その場合はコンピュータ４が地汚れと判断した旨を表示する手段を必要とする。この場合の表示装置はコンピュータ用ディスプレイや警告用ランプなどが望ましく、特にディスプレイに地汚れ発生警告と発生した胴を表示することが好ましい。印刷オペレータは警告を確認し、印刷機の制御装置を使用して湿し水供給量を増加して地汚れを解消させる。一定タイミング後に測定を行い、地汚れが解消されたかをコンピュータ４が判断し、地汚れが解消されないと判断した場合は再度地汚れ発生を警告する。地汚れが解消された場合は地汚れ発生警告を解消し、通常状態に復帰する。
【産業上の利用可能性】
【００２１】
本発明による方法と装置は、印刷産業分野、特にオフセット印刷機に好適に利用することができる。
【符号の説明】
【００２２】
１、９  印刷版
２  測定器
３  同期装置
４  コンピュータ
５  湿し水制御装置
６  駆動モータ
７  水元ロール
８  湿し水
１０  測定箇所１：駆動側の版端くわえ側非画像部
１１  測定箇所２：操作側の版端くわえ側非画像部
１２  スタート
１３  版端部非画像部を測定する
１４  測定値と基準値を比較する
１５  測定値はしきい値以内か？
１６  湿し水供給量を上げる
【図１】
2015174439.tif 000003
【図３】
2015174439.tif 000004
【図２】
2015174439.tif 000005